(57)【要約】【課題】部外者の進入を確実に防ぐ竪坑用防護柵を提供する。【解決手段】防護柵１０は、略垂直に穿設された竪坑９の矩形の開口９０の周囲を囲うことができる。防護柵１０は、一対の第１グレーチング１・１、第２グレーチング２、一対一組のポール３、及びチェーンを備える。一対の第１グレーチング１・１は、開口９０を二分割して閉塞すると共に、開口９０の一対の第１側辺と回転自在に連結して起立できる。第２グレーチング２は、開口９０を閉塞すると共に、開口９０の一対の第２側辺の一辺側と回転自在に連結して起立できる。少なくとも一対のポール３・３は、一対の第２側辺の他辺側に出没するように配置され、開口９０から突出できる。チェーン４は、これらのポール３・３の上部に架け渡されて、部外者の進入を阻止できる。【選択図】図１
2013049967.tif 000002
【特許請求の範囲】
【請求項１】
略垂直に穿設された竪坑の矩形の開口の周囲を囲う竪坑用防護柵であって、
前記開口を二分割して閉塞すると共に、前記開口の一対の第１側辺と回転自在に連結する起立可能な一対の第１グレーチングと、
前記開口を閉塞すると共に、一対の前記第１側辺と略直交する一対の第２側辺の一辺側と回転自在に連結する起立可能な第２グレーチングと、
少なくとも一対の前記第２側辺の他辺側に出没するように配置され、前記開口から突出可能な一対のポールと、
これらのポールの上部に架け渡されて、人の進入を阻止するチェーンと、を備える竪坑用防護柵。
【請求項２】
前記第２グレーチングが前記開口を閉塞した状態では、一対の前記第１グレーチングを閉じて、当該第２グレーチングに載置できる請求項１記載の竪坑用防護柵。
【請求項３】
前記チェーンは、一端部が一方の前記ポールに繋留され、他端部が他方の前記ポールに着脱自在に繋留される請求項１又は２記載の竪坑用防護柵。
【請求項４】
前記竪坑は、一対の前記第２側辺の他辺側から下方に延びる内壁に設けられ、人が昇降可能なタラップを備える請求項１から３のいずれかに記載の竪坑用防護柵。
【請求項５】
略垂直に穿設された竪坑の矩形の開口の周囲を囲う竪坑用防護柵の防護方法であって、
前記開口を二分割して閉塞すると共に、前記開口の一対の第１側辺と回転自在に連結する起立可能な一対の第１グレーチングと、前記開口を閉塞すると共に、一対の前記第１側辺と略直交する一対の第２側辺の一辺側と回転自在に連結する起立可能な第２グレーチングと、少なくとも一対の前記第２側辺の他辺側に出没するように配置され、前記開口から突出可能な一対のポールと、これらのポールの上部に架け渡されて、人の進入を阻止するチェーンと、を備える竪坑用防護柵において、
一対の前記第１グレーチングを開いて、一対の前記第１グレーチングを前記開口の一対の第１側辺に起立させる第１ステップと、
前記第２グレーチングを開いて、前記第１グレーチングを前記開口の一対の第２側辺の一辺側に起立させる第２ステップと、
一対の前記ポールを前記開口から突出させる第３ステップと、
一対の前記ポールの上部に前記チェーンを架け渡して、人の進入を阻止する第４ステップと、を含んでいる竪坑用防護柵の防護方法。
【発明の詳細な説明】
【技術分野】
【０００１】
本発明は、竪坑用防護柵に関する。特に、略垂直に穿設された竪坑に部外者が容易に進入できないように、竪坑の開口の周囲を囲う防護柵の構造に関する。
【背景技術】
【０００２】
発電所などでは、作業員が内部に入れる矩形の開口を有する竪坑が敷地内や建物内に設けられている。通常、これらの竪坑の開口は、素材を格子状に組んだグレーチングで閉塞されている。そして、作業員が竪坑の内部に入るときには、グレーチングが取り外され、竪坑の開口の周囲に複数のセーフティコーンを設置すると共に、これらのセーフティコーンの間にコーンバーを架け渡して、部外者が竪坑に進入できないように、注意を喚起していた。
【０００３】
セーフティコーンとコーンバーが組み合わされた防護対策は、部外者が竪坑に進入できないように、注意を喚起することはできる。しかし、これらのセーフティコーンは、「重し」を付加して起立させているだけであり、部外者の進入を確実に防ぐことが困難であった。
【０００４】
このような不具合を解消するため、竪坑の開口を閉塞する一対のグレーチング、及びこれらのグレーチングを覆う一対の側枠を備え、これらのグレーチング及び側枠を起立させて、竪坑の開口の四方を囲う防護柵が開示されている（例えば、特許文献１参照）。
【０００５】
又、このような不具合を解消するため、竪坑の開口を閉塞する一対のグレーチング、及びこれらのグレーチングを覆う一対の側枠を備え、これらのグレーチング及び側枠を起立させて、竪坑の開口の四方を囲うと共に、一方の側枠が外側に倒れ、竪坑への出入りを容易にした防護柵が開示されている（例えば、特許文献２参照）。
【先行技術文献】
【特許文献】
【０００６】
【特許文献１】実開平５−５７２４３号公報
【特許文献２】特開平９−２５６６５８号公報
【発明の概要】
【発明が解決しようとする課題】
【０００７】
特許文献１による防護柵は、一対のグレーチングにカウンタウェイトを設けて、これらのグレーチングを起伏自在に構成しているので、組立が容易であるという利点がある。しかし、特許文献１による防護柵は、一対のグレーチング及び側枠を起立させて、竪坑の開口の四方を囲っているので、作業員が竪坑に出入りするには不便である、という問題がある。
【０００８】
一方、特許文献２による防護柵は、一方の側枠が外側に倒れるように構成しているので、作業員が竪坑へ出入りすることは容易である。しかし、特許文献２による防護柵は、作業員が竪坑へ出入りするためには、一方の側枠を乗り越えるか、又は一方の側枠上を歩行する必要があるという問題がある。部外者の進入を確実に防ぐと共に、作業員が竪坑へ容易に出入りできる竪坑用防護柵が求められている。そして、以上のことが本発明の課題といってよい。
【０００９】
本発明は、このような課題に鑑みてなされたものであり、部外者の進入を確実に防ぐと共に、作業員が竪坑へ容易に出入りできる竪坑用防護柵を提供することを目的とする。
【課題を解決するための手段】
【００１０】
本発明者は、竪坑の開口を閉塞する三枚のグレーチングを起立させて、これらのグレーチングで開口の三方を防護する共に、開放された一方の部分には、一対の出没式のポールを竪坑の開口から突出させ、これらのポールにチェーンを架け渡すことにより、部外者の進入を確実に防ぐと共に、作業員が竪坑へ容易に出入りできると考え、これに基づいて、以下のような新たな竪坑用防護柵を発明するに至った。
【００１１】
（１）本発明による竪坑用防護柵は、略垂直に穿設された竪坑の矩形の開口の周囲を囲う竪坑用防護柵であって、前記開口を二分割して閉塞すると共に、前記開口の一対の第１側辺と回転自在に連結する起立可能な一対の第１グレーチングと、前記開口を閉塞すると共に、一対の前記第１側辺と略直交する一対の第２側辺の一辺側と回転自在に連結する起立可能な第２グレーチングと、少なくとも一対の前記第２側辺の他辺側に出没するように配置され、前記開口から突出可能な一対のポールと、これらのポールの上部に架け渡されて、人の進入を阻止するチェーンと、を備える。
【００１２】
（２）前記第２グレーチングが前記開口を閉塞した状態では、一対の前記第１グレーチングを閉じて、当該第２グレーチングに載置できることが好ましい。
【００１３】
（３）前記チェーンは、一端部が一方の前記ポールに繋留され、他端部が他方の前記ポールに着脱自在に繋留されることが好ましい。
【００１４】
（４）前記竪坑は、一対の前記第２側辺の他辺側から下方に延びる内壁に設けられ、人が昇降可能なタラップを備えることが好ましい。
【００１５】
（５）本発明による竪坑用防護柵の防護方法は、略垂直に穿設された竪坑の矩形の開口の周囲を囲う竪坑用防護柵の防護方法であって、前略垂直に穿設された竪坑の矩形の開口の周囲を囲う竪坑用防護柵の防護方法であって、前記開口を二分割して閉塞すると共に、前記開口の一対の第１側辺と回転自在に連結する起立可能な一対の第１グレーチングと、前記開口を閉塞すると共に、一対の前記第１側辺と略直交する一対の第２側辺の一辺側と回転自在に連結する起立可能な第２グレーチングと、少なくとも一対の前記第２側辺の他辺側に出没するように配置され、前記開口から突出可能な一対のポールと、これらのポールの上部に架け渡されて、人の進入を阻止するチェーンと、を備える竪坑用防護柵において、一対の前記第１グレーチングを開いて、一対の前記第１グレーチングを前記開口の一対の第１側辺に起立させる第１ステップと、前記第２グレーチングを開いて、前記第１グレーチングを前記開口の一対の第２側辺の一辺側に起立させる第２ステップと、一対の前記ポールを前記開口から突出させる第３ステップと、一対の前記ポールの上部に前記チェーンを架け渡して、人の進入を阻止する第４ステップと、を含んでいる。
【発明の効果】
【００１６】
本発明による竪坑用防護柵は、竪坑の開口を閉塞する一対の第１グレーチング及び第２グレーチングを起立させて、これらのグレーチングで開口の三方を防護する共に、開放された一方の部分には、一対の出没式のポールを竪坑の開口から突出させ、これらのポールにチェーンを架け渡すことにより、部外者の進入を確実に防ぐと共に、チェーンを取り外すことにより作業員が竪坑へ容易に出入りできる。
【図面の簡単な説明】
【００１７】
【図１】本発明の一実施形態による竪坑用防護柵の構成を示す斜視図であり、竪坑の開口の周囲を防護している状態図である。
【図２】前記実施形態による竪坑用防護柵の平面図であり、一対の第１グレーチングが竪坑の開口を閉塞している状態図である。
【図３】前記実施形態による竪坑用防護柵の平面図であり、一対の第１グレーチングを起立させ、第２グレーチングが竪坑の開口を閉塞している状態図である。
【図４】前記実施形態による竪坑用防護柵の縦断面図であり、図３のＸ−Ｘ矢視断面図である。
【図５】前記実施形態による竪坑用防護柵の縦断面図であり、図３のＹ−Ｙ矢視断面図である。
【図６】前記実施形態による竪坑用防護柵の平面図であり、一対の第１グレーチング及び第２グレーチングを起立させた状態図である。
【図７】前記実施形態による竪坑用防護柵に備わる一対の第１グレーチングの軸受構造を示す斜視分解組立図である。
【図８】前記実施形態による竪坑用防護柵に備わる出没式のポールの構成を示す斜視図である。
【図９】前記実施形態による竪坑用防護柵の防護方法の手順を示す概略図であり、上段に平面図を示し、下段に縦断面図を示すと共に、図９（Ａ）は、一方の第１グレーチングを起立させた状態図、図９（Ｂ）は、他方の第１グレーチングを起立させた状態図、図９（Ｃ）は、第２グレーチングを起立させた状態図、図９（Ｄ）は、複数のポールを竪坑の開口から突出させた状態図、図９（Ｅ）は、一対のポールの間にチェーンを架け渡した状態図である。
【発明を実施するための形態】
【００１８】
以下、図面を参照して本発明を実施するための形態を説明する。
［竪坑用防護柵の構成］
最初に、本発明の一実施形態による竪坑用防護柵の構成を説明する。
【００１９】
図１は、本発明の一実施形態による竪坑用防護柵の構成を示す斜視図であり、竪坑の開口の周囲を防護している状態図である。図２は、前記実施形態による竪坑用防護柵の平面図であり、一対の第１グレーチングが竪坑の開口を閉塞している状態図である。図３は、前記実施形態による竪坑用防護柵の平面図であり、一対の第１グレーチングを起立させ、第２グレーチングが竪坑の開口を閉塞している状態図である。
【００２０】
図４は、前記実施形態による竪坑用防護柵の縦断面図であり、図３のＸ−Ｘ矢視断面図である。図５は、前記実施形態による竪坑用防護柵の縦断面図であり、図３のＹ−Ｙ矢視断面図である。
【００２１】
（全体構成）
図１から図５を参照すると、本発明の一実施形態による竪坑用防護柵（以下、防護柵と略称する）１０は、一対の第１グレーチング１・１と第２グレーチング２を備えている。又、防護柵１０は、竪坑９の開口９０から突出可能な一対一組（四本）の出没式のポール３を備えている。そして、これらのポール３の上部には、チェーン４を架け渡すことができる。
【００２２】
図１から図５を参照すると、一対の第１グレーチング１・１は、通常、竪坑９の矩形の開口９０を二分割して閉塞している（図２参照）。又、一対の第１グレーチング１・１は、開口９０の一対の第１側辺に配置されたブラケット９１・９１と回転自在に連結している。第１グレーチング１は、取っ手１ｎを把持して開くことができ、図１又は図５に示されるように、開口９０の一対の第１側辺に起立することができる。なお、第１グレーチング１の軸受構造は、後述する。
【００２３】
図１から図５を参照すると、第２グレーチング２は、通常、竪坑９の開口９０を閉塞している（図３参照）。又、第２グレーチング２は、一対の前記第１側辺と略直交する一対の第２側辺の一辺側に配置されたブラケット９２と回転自在に連結している。
【００２４】
図４を参照すると、第２グレーチング２の一端部は、平型蝶番９２ｎを介して、ブラケット９２と回転自在に連結している。第２グレーチング２の他端部は、ブラケット９３に載置されている。第２グレーチング２の他端部を把持して開くことができ、図１又は図４に示されるように、開口９０の一対の第２側辺の一辺側に起立することができる。
【００２５】
図４又は図５を参照すると、第２グレーチング２が開口９０を閉塞した状態では、一対の第１グレーチング１・１を閉じて、第２グレーチング２に載置できる。この場合、一対の第１グレーチング１・１の表面は、例えば、地面Ｇと面一の状態になっている。そして、一対の第１グレーチング１・１に妨げられることなく、一対の第１グレーチング１・１上を人や乗り物が通行できる。
【００２６】
引き続き、実施形態による防護柵１０の構成を説明する。図６は、前記実施形態による竪坑用防護柵の平面図であり、一対の第１グレーチング及び第２グレーチングを起立させた状態図である。図７は、前記実施形態による竪坑用防護柵に備わる一対の第１グレーチングの軸受構造を示す斜視分解組立図である。図８は、前記実施形態による竪坑用防護柵に備わる出没式のポールの構成を示す斜視図である。
【００２７】
（ポールの構成）
図８を参照すると、ポール３は、パイプ部材からなるポール本体３１とガイド筒３２で構成している。ガイド筒３２は、ポール本体３１をスライド及び回転自在に保持している。ガイド筒３２は、その外周に取り付け部材３３を溶接している。そして、図６に示されるように、取り付け部材３３は、開口９０の四隅に取り付けられている。なお、取り付け部材３３は、ブラケット９１とブラケット９２及びブラケット９１とブラケット９３を相互に結合する機能も有している。
【００２８】
図８を参照すると、ポール本体３１は、相反する向きに突出する一対のガイドピン３１ｐ・３１ｐを下部に備えている（図５参照）。一方、ガイド筒３２は、一対のガイドピン３１ｐ・３１ｐを案内する一対のガイド溝３２ｇ・３２ｇを内壁に形成している。
【００２９】
図８を参照すると、ガイド溝３２ｇは、下端部に貫通すると共に、軸方向と平行に延びる縦溝と、この縦溝の終端から円周方向に直角に屈曲した横溝と、この横溝の終端から下降した落込溝を連続して形成している。なお、図示はしないが、ガイドピン３１ｐをガイド溝３２ｇに誘導し易いように、縦溝の下部は、デルタ状に拡幅されている。
【００３０】
図８を参照すると、ポール本体３１は、取っ手３１ｎを上端部に備えている。取っ手３１ｎを把持して、ポール本体３１を引き上げると、縦溝の終端でガイドピン３１ｐがガイド溝３２ｇに当接して、ポール本体３１の移動を停止できる。次に、ポール本体３１を軸回りに所定角度回動すると、ガイドピン３１ｐが横溝に沿って移動できる。そして、横溝の終端でガイドピン３１ｐを落込溝に落とし込むことができ、ポール本体３１をその自重で起立状態に保持できる（図１参照）。
【００３１】
図８を参照して、ポール本体３１を前述と逆の動作で移動することにより、ポール本体３１を下降できる。この場合、ポール本体３１の上部に設けた止め鉤３１ｆがガイド筒３２の上端面に当接して、ポール本体３１の落下を防止している（図５参照）。なお、止め鉤３１ｆは、後述するチェーン４を繋留するためのものである。
【００３２】
（チェーンの構成）
図８を参照すると、チェーン４は、環状体が連鎖され、リングキャッチ４１を端部に備えている。リングキャッチ４１は、円環状の本体に接続体４１ａが螺合している。接続体４１ａを一方の方向に回転すると、本体を円環状に閉じることができる。接続体４１ａを他方の方向に回転すると、本体に隙間を設けることができ、止め鉤３１ｆに繋留できる。リングキャッチ４１は、市販品を利用できる。リングキャッチに換えて、市販のフック式のスナップリングを用いてもよい。
【００３３】
図４を参照して、ポール本体３１が竪坑９の内部に収容されているときは、ポール３とチェーン４が一対一に繋留されていることが好ましい。一方、図１に示されるように、ポール本体３１が開口９０から突出しているときは、ポール３とポール３の間にチェーン４を架け渡すことができ、部外者の進入を阻止できる。
【００３４】
（第１グレーチングの軸受構造）
次に、第１グレーチング１の軸受構造を説明する。図７を参照すると、第１グレーチング１の軸受部５は、トーションバー５ｔ、第１グレーチング１の端部に固定される一組の第１固定金具５ａ・５ｂ、ブラケット９１に固定される一組の第２固定金具５ｃ・５ｄで構成されている。
【００３５】
図７を参照すると、第１グレーチング１は、その一方の端部の両隅部が所定の形状に切り欠かれ（後加工され）、一組の第１固定金具５ａ・５ｂが溶接で固定されている（図４又は図５参照）。一方、ブラケット９１には、一組の第２固定金具５ｃ・５ｄが溶接で固定されている（図４又は図５参照）。
【００３６】
図４又は図７を参照すると、第１固定金具５ａと第２固定金具５ｃとは、隣接して配置されている。同様に、第１固定金具５ｂと第２固定金具５ｄとは、隣接して配置されている。第１固定金具５ｂと第２固定金具５ｃは、トーションバー５ｔの両端部を回動自在に支持している。
【００３７】
一方、図７を参照すると、第１固定金具５ａには、スプリングピン５ｐが圧入されてトーションバー５ｔを結合している。同様に、第２固定金具５ｄには、スプリングピン５ｐが圧入されてトーションバー５ｔを結合している。これにより、第１グレーチング１を開閉するときに、所定の捩れ力（回転モーメント）を第１グレーチング１に付与できる。
【００３８】
図５に示されるように、第１グレーチング１が起立状態のときに、第１固定金具５ａ及び第２固定金具５ｄにスプリングピン５ｐを圧入することが好ましく、第１グレーチング１を閉じるときに、第１グレーチング１の自重に抗する捩れ力を第１グレーチング１に付与できる。
【００３９】
図５及び図７を参照して、第１グレーチング１が起立状態から外側に傾倒しないように、第１固定金具５ａと第２固定金具５ｃが互いに当接するように、構成することが好ましく、同様に、第１固定金具５ｂと第２固定金具５ｄが互いに当接するように、構成することが好ましい。
【００４０】
図５を参照すると、第１グレーチング１の重心がトーションバー５ｔに作用する回転モーメントは、第１グレーチング１が起立状態のときに「零」に近く、第１グレーチング１が倒伏状態のときに最も大きくなる。そして、この回転モーメントは、第１グレーチング１が起立状態から９０度、角度変動に対応してサインカーブ状に増加する。
【００４１】
一方、図５を参照すると、トーションバー５ｔ自体の回転モーメントは、第１グレーチング１が起立状態から９０度、角度変動に対応して直線状に（リニアに）、増加する。したがって、第１グレーチング１が倒伏状態のときに、トーションバー５ｔ自体の回転モーメントが、第１グレーチング１の重心がトーションバー５ｔに作用する回転モーメントを超えないように、トーションバー５ｔを設定しておくことが好ましく、第１グレーチング１を確実に閉じることができ、第１グレーチング１を比較的軽い力で開くこともできる。
【００４２】
［竪坑用防護柵の作用］
次に、実施形態による防護柵１０の防護方法を説明しながら、防護柵１０の作用及び効果を説明する。
【００４３】
図９は、前記実施形態による竪坑用防護柵の防護方法の手順を示す概略図であり、上段に平面図を示し、下段に縦断面図を示すと共に、図９（Ａ）は、一方の第１グレーチングを起立させた状態図、図９（Ｂ）は、他方の第１グレーチングを起立させた状態図、図９（Ｃ）は、第２グレーチングを起立させた状態図、図９（Ｄ）は、複数のポールを竪坑の開口から突出させた状態図、図９（Ｅ）は、一対のポールの間にチェーンを架け渡した状態図である。
【００４４】
最初に、図９（Ａ）に示されるように、一方の第１グレーチング１を開いて、起立させる。次に、図９（Ｂ）に示されるように、他方の第１グレーチング１を開いて、起立させる。次に、図９（Ｃ）に示されるように、第２グレーチング２を開いて、起立させる。
【００４５】
次に、図９（Ｄ）に示されるように、一対一組のポール本体３１を引き上げて、起立状態に保持する（図１参照）。これにより、一対の第１グレーチング１・１及び第２グレーチング２が内側に傾倒することが阻止される。次に、図９（Ｅ）に示されるように、ポール３とポール３の間にチェーン４を架け渡すことで、一連の作業を終了する。なお、図１又は図９（Ｅ）に示されるように、第２グレーチング２に対向配置されたチェーン４には、立ち入りを禁止した旨を表示した札４ｆを吊るしておくことが好ましい。
【００４６】
図１を参照すると、実施形態による防護柵１０は、竪坑９の開口９０を閉塞する一対の第１グレーチング１・１及び第２グレーチング２を起立させて、これらの第１グレーチング１・１及び第２グレーチング２で開口９０の三方を防護する共に、開放された一方の部分には、少なくとも一対の出没式のポール３・３を竪坑９の開口９０から突出させ、これらのポール３・３にチェーン４を架け渡すことにより、部外者の進入を確実に防ぐことができる。
【００４７】
又、図１を参照すると、作業員が竪坑９に入る場合は、開放された一方の部分に設けたチェーン４を一旦、取り外して竪坑９に進入した後に、チェーン４を架け渡すことが好ましい。実施形態による防護柵１０は、従来のように、一方の側枠が外側に倒れないので、作業員が竪坑へ容易に出入りできる。
【００４８】
図４又は図６を参照すると、竪坑９は、作業員が昇降可能なタラップ９ｔを備えている。タラップ９ｔは、開口９０の一対の第２側辺の他辺側から下方に延びる内壁に設置されている。作業員は、タラップ９ｔを伝わって竪坑９に下降できる。又、作業員は、タラップ９ｔを伝わって竪坑９を昇ることができる。
【００４９】
実施形態による防護柵１０は、以下の効果が期待できる。
（１）竪坑９への進入防止対策が迅速に実施できる。
（２）竪坑９の開口９０の三方をグレーチングで防護することにより、小物が竪坑９へ落下することを防止できる。
（３）安全対策用具を別途、用意する必要がなく、防護柵１０を組み立てる手順で安全対策を実施できる。
（４）竪坑９は、グレーチングで囲われていない開放側の内壁にタラップ９ｔを設置しているので、竪坑９の昇降が容易である。
【００５０】
図１又は図８を参照して、チェーン４は、ステンレス環などを連鎖した金属チェーンであってもよく、硬質のプラスチック環を連鎖したプラスチックチェーンであってもよい。又、チェーン４に替えて、ロープや紐体を用いることも可能である。
【００５１】
本発明による竪坑用防護柵は、地面に穿設される竪坑に好適な実施形態を開示したが、これに限定されない。本発明による竪坑用防護柵は、建物内に穿設される竪坑にも応用することができる。
【００５２】
本発明による竪坑用防護柵は、少なくとも一対のポールを開口の一対の第２側辺の他辺側に設けることが好ましいが、四本のポールを開口の四隅に配置することを排除しない。
【００５３】
又、発明による竪坑用防護柵は、第２グレーチング上に一対の第１グレーチングを搭載する実施形態を開示したが、一対の第１グレーチング上に第２グレーチングを搭載するように構成してもよい。
【００５４】
更に、発明による竪坑用防護柵は、一対の第１グレーチングがトーションバーで開閉し、第２グレーチングが平型蝶番で開閉するヒンジ（開閉部材）を開示したが、これらの第１グレーチング及び第２グレーチングが起立したときに、起立状態を維持できるように、ロック機能を有するヒンジを使用することもできる。
【符号の説明】
【００５５】
１  第１グレーチング
２  第２グレーチング
３  ポール
４  チェーン
９  竪坑
１０  防護柵（竪坑用防護柵）
９０  開口
【図１】
2013049967.tif 000003
【図２】
2013049967.tif 000004
【図３】
2013049967.tif 000005
【図４】
2013049967.tif 000006
【図５】
2013049967.tif 000007
【図６】
2013049967.tif 000008
【図７】
2013049967.tif 000009
【図８】
2013049967.tif 000010
【図９】
2013049967.tif 000011